(57)【要約】【課題】従来の反射ミラー支持機構では、落下等の衝撃が加わった際に、反射ミラーが位置ズレし易かった。【解決手段】光を反射する反射ミラー２２の反射面に接し、その反射面を弾力性をもって押圧する弾性支持部３３と、弾性支持部が接する反射面とは反対側の背面に先端が接触する調整ピン３１とを備え、調整ピン３１の先端を前後させることにより反射面の位置を調整する。そして、反射ミラー２２以外の所定部分に係止される係止部と、反射ミラー２２の少なくとも１つの側面３５に接触してまたは近傍に配置され、反射ミラー２２の移動を規制する移動規制部３４とを有するミラー支持部材３２を備える。【選択図】図４
2010066609.tif 000002
【特許請求の範囲】
【請求項１】
光を反射する反射ミラーの反射面および前記反射面の反対側の背面のいずれかの面に接し、前記接する前記反射面または前記背面を弾力性をもって押圧する弾性支持部と、前記弾性支持部が接する前記反射面または前記背面とは反対側の前記背面または前記反射面に先端が接触する調整ピンとを備え、前記調整ピンの先端を前後させることにより前記反射面の位置を調整するスキュー調整機構であって、
前記反射ミラー以外の所定部分に係止される係止部と、前記反射ミラーの少なくとも１つの側面に接触してまたは近傍に配置され、前記反射ミラーの移動を規制する移動規制部とを有するミラー支持部材を備えたスキュー調整機構。
【請求項２】
前記反射ミラーは、細長い形状を有し、
前記ミラー支持部材の前記移動規制部は、前記反射ミラーの長手方向の２つの側面のそれぞれに接触してまたは近傍に配置されている、請求項１に記載のスキュー調整機構。
【請求項３】
前記ミラー支持部材の前記移動規制部は、付勢バネであり、前記長手方向の２つの側面に接触している、請求項２に記載のスキュー調整機構。
【請求項４】
前記所定部分は、前記調整ピンであり、
前記ミラー支持部材は、前記ミラー支持部材に設けられている孔に前記調整ピンが嵌挿されることにより、前記調整ピンに係止されている、請求項１に記載のスキュー調整機構。
【請求項５】
前記ミラー支持部材は、前記弾性支持部が接する前記反射面または前記背面の一部を覆っている、請求項４に記載のスキュー調整機構。
【請求項６】
前記所定部分は、前記弾性支持部および前記調整ピンを保持するフレームの一部であり、
前記ミラー支持部材は、前記フレームの一部に固定されている、請求項１に記載のスキュー調整機構。
【請求項７】
光を反射する反射ミラーの反射面および前記反射面の反対側の背面のいずれかの面に１つの接点部分で接し、前記接する前記反射面または前記背面を弾力性をもって押圧する弾性支持部と、前記弾性支持部が接する前記反射面または前記背面とは反対側の前記背面または前記反射面に先端が接触する調整ピンとを備え、前記調整ピンの先端を前後させることにより前記反射面の位置を調整するスキュー調整機構であって、
前記弾性支持部が前記反射ミラーを弾力性をもって押圧する際に前記接点部分は弧を描き、衝撃が無い静止状態において、前記接点部分における前記弧に対する接線が、前記弾性支持部が接する前記反射面または前記背面に対して垂直となるように配置されている、スキュー調整機構。
【請求項８】
前記反射ミラーは、細長い形状を有し、
前記弧は、前記反射ミラーの長手方向に対して垂直な面内に描かれる、請求項７に記載のスキュー調整機構。
【請求項９】
光源と、
前記光源からの光を反射する反射ミラーと、
前記反射ミラーの角度を調整してスキュー調整を行う、請求項１または７に記載のスキュー調整機構と、
像担持体の表面を走査するために、前記反射ミラーによって反射された光を偏向する多角形走査ミラーと、を備えた光走査ユニット。
【請求項１０】
前記像担持体の表面に現像剤画像を形成する請求項９に記載の光走査ユニットを備えた画像形成装置。
【発明の詳細な説明】
【技術分野】
【０００１】
本発明は、プリンタ、複写機、およびファクシミリなどの画像形成装置に用いられる光走査ユニット、光走査ユニットに用いるスキュー調整機構に関する。
【背景技術】
【０００２】
近年、デジタルプリンターや、複写機等には、感光体ドラム等の像担持体表面に像を形成するために、レーザー光によって走査を行うレーザー・スキャナー・ユニット（以下、ＬＳＵと呼ぶ）が設けられている。
【０００３】
このＬＳＵは、レーザー光源、ポリゴンミラー、ｆθレンズ、および反射ミラー等の光学部品を有している。これらの光学部品は、ＬＳＵのフレームの所定位置に固定されて、配置されている。このＬＳＵにおいて、レーザー光源から出射された光は、ポリゴンミラーの表面で偏向され、等角度走査され、ｆθレンズおよび反射ミラーによって像担持体上を結像面として等速走査される。
【０００４】
また、近年カラーの画像形成装置において、高速化が求められており、ブラック、イエロー、マゼンダ、シアンの画像形成ユニットを別々に配置したタンデム方式の画像形成装置が採用されている。
【０００５】
図１０は、従来のタンデム方式の画像形成装置と、その下方に配置されたＬＳＵの断面模式図である。この画像形成装置は、２つのポリゴンミラーによって各画像形成装置の像担持体を光走査する構成のものである。
【０００６】
図１０に示すように、ブラック用感光体ドラム１００ａ、イエロー用感光体ドラム１００ｂ、シアン用感光体ドラム１００ｃ、およびマゼンダ用感光体ドラム１００ｄが設けられている。４つの色素に対応する４つのレーザー光源から出射されたレーザー光は、２つのポリゴンミラー１０１によって等角度走査され、ｆθレンズ群によって各感光体ドラム上で等速度走査される。このｆθレンズ群は、走査レンズ１０３、およびそれぞれの補正レンズ１０２ａ、１０２ｂ、１０２ｃ、１０２ｄから構成されている。この走査レンズ１０３は、主にレーザー光を等速度走査させる役割を果たしている。また、補正レンズ１０２ａ、１０２ｂ、１０２ｃ、１０２ｄは、主として副走査方向のボウ補正を行う役割を果たしている。
【０００７】
タンデム方式の画像形成装置では、各々の感光体ドラム上に結像させる必要があり、１つの走査レンズだけでは補正が不十分となるため、このように各々の感光体ドラム１００ａ、１００ｂ、１００ｃ、１００ｄごとに補正レンズ１０２ａ、１０２ｂ、１０２ｃ、１０２ｄが設けられている。
【０００８】
そして、各補正レンズ１０２ａ、１０２ｂ、１０２ｃ、１０２ｄで補正されたレーザー光は、それぞれ複数の反射ミラー１０４を介して、それぞれの感光体ドラム１００ａ、１００ｂ、１００ｃ、１００ｄ上に結像される。ここで使用される反射ミラー１０４は、光走査方向に長い形状をしており、それらの両端部分でＬＳＵフレームに支持されている。
【０００９】
図１１に、反射ミラー１０４を取り付ける前の状態のＬＳＵの斜視図を示す。
【００１０】
反射ミラー１０４は、図１１に示すように、細長い形状の一方の端部が反射ミラー支持部１０５で支持され、もう一方の端部が反射ミラー支持部１０６で支持される。
【００１１】
図１２（ａ）に反射ミラー支持部１０６部分の拡大斜視図を、図１２（ｂ）に反射ミラー支持部１０５部分の拡大斜視図をそれぞれ示す。
【００１２】
図１２（ａ）に示すように、反射ミラー支持部１０６では、２つの凸部（受け点）が形成されたＬＳＵフレームに固定された支持部材と、支持用板バネ１０７の間に反射ミラー１０４を挟み込んで支持する。
【００１３】
一方、反射ミラー支持部１０５では、図１２（ｂ）に示すように、ＬＳＵフレームに支持された１つの凸部（受け点）を有する支持部材と、支持用板バネ１０７の間に反射ミラー１０４を挟み込んで支持する。
【００１４】
図１２（ｃ）に、反射ミラー支持部１０５および反射ミラー支持部１０６で使用される支持用板バネ１０７の斜視図を示す。支持用板バネ１０７には、反射ミラー１０４の一方の面の押さえ点として、１つの凸部が形成されている。
【００１５】
次に、図１３（ａ）に反射ミラー支持部１０６における反射ミラーの支持構造を示す断面図を、図１３（ｂ）に反射ミラー支持部１０５における反射ミラーの支持構造を示す断面図を、それぞれ示す。
【００１６】
図１３（ａ）に示すように、反射ミラー支持部１０６では、ＬＳＵフレーム１０８に固定された支持部材に形成された２つの凸部を受け点として反射ミラー１０４の反射面の反対側の面（以降、背面と呼ぶ）に当接させ、ＬＳＵフレーム１０８に支持させた支持用板バネ１０７に形成された１つの凸部を押さえ点として反射ミラー１０４の反射面に当接させて、反射ミラー１０４の一端側を支持している。
【００１７】
一方、反射ミラー支持部１０５では、図１３（ｂ）に示すように、ＬＳＵフレーム１０８に固定されたピン固定部材１１１に取り付けられたスキュー調整ピン１０９の先端部分が受け側の凸部となっている。スキュー調整ピン１０９の先端を１つの受け点として反射ミラー１０４の背面に当接させ、ＬＳＵフレーム１０８に支持させた支持用板バネ１０７に形成された１つの凸部を押さえ点として反射ミラー１０４の反射面に当接させて、反射ミラー１０４のもう一端側を支持している。
【００１８】
反射ミラー支持部１０５では、スキュー調整ピン１０９は、このように受け点として使用されるとともに、その先端を前後させることにより反射ミラー１０４の一端側の反射面の位置を移動させてスキュー調整の機能も兼ねている。
【００１９】
反射ミラー１０４の長手方向の両端部をともに反射ミラー支持部１０６のような２つの受け点による支持構造とした場合には、両端部分が強固に固定されてしまい反射ミラー１０４に歪みが生ずる恐れがある。そのためこのように、一端側を反射ミラー支持部１０６のような２つの受け点で支持し、もう一端側は反射ミラー支持部１０５のような１つの受け点で支持するといった支持構造が多く用いられる。
【００２０】
図１４に、受け点が１点の側の、別の支持構造の斜視図を示す。図１２および図１３と同じ構成部分には、同じ符号を用いている。
【００２１】
図１２（ｂ）および図１３（ｂ）に示した支持構造とは、押さえ点側の構造が異なるのみで、１つの押さえ点と１つの受け点で反射ミラー１０４の両面を挟み込む構造は同じである。
【００２２】
図１２（ｂ）および図１３（ｂ）では、受け点側としてスキュー調整ピン１０９を用いたのに対し、図１４の支持構造では、弾性支持部１１０を用いている点が異なる。弾性支持部１１０は、反射ミラー１０４の反射面に当接してスキュー調整ピン１０９側に付勢する。そして、スキュー調整ピン１０９の先端を前後させることで、反射ミラー１０４の位置が調整される。
【００２３】
また、特許文献１には、反射ミラーの取り付け角度を調整できる支持構造が開示されている。しかし、特許文献１に開示されている支持構造では、反射ミラーに歪が生じてしまい、少なからず形成された画像への悪影響が生じてしまう。
【特許文献１】特開２００２−２７７７９７号公報
【発明の開示】
【発明が解決しようとする課題】
【００２４】
しかしながら、上述した従来の支持構造では、落下などの衝撃が加わると反射ミラーの支持位置が正規の位置からズレてしまうことがあった。
【００２５】
落下などの衝撃が加わった際に、支持されている反射ミラーの位置が正規の位置からズレてしまうメカニズムについて、以下に説明する。
【００２６】
図１３（ａ）に示すような２つの受け点と１つの押さえ点で支持する構造側では、衝撃が加わった場合でも反射ミラー１０４の位置ズレは生じ難いが、図１３（ｂ）のような受け点と押さえ点がそれぞれ１点で支持する構造側では反射ミラー１０４の位置ズレが生じ易い。
【００２７】
図１４に示すように、ここでは、反射ミラー１０４の反射面に沿った幅方向をｘ方向、反射面に垂直な厚さ方向をｙ方向、反射ミラー１０４の長手方向をｚ方向として説明する。
【００２８】
図１４に示すような受け点が１点の側の支持構造部分において、スキュー調整ピン１０９先端の受け点と弾性支持部１１０による押さえ点との間ではｚ方向には大きな付勢力がかかるが、反射ミラー１０４のｘ方向への移動に対する抑制力は小さいため、反射ミラー１０４がｘ方向にズレ易い。
【００２９】
また、落下などの衝撃が加わった際に、反射ミラー１０４がｘ方向にズレると、スキュー調整ピン１０９先端と弾性支持部１１０間のｚ方向の付勢力によって、反射ミラー１０４がｘ方向のズレた位置から正規の位置に戻ろうとする力が抑制されてしまい、反射ミラー１０４がｘ方向にズレた位置のままとなってしまう。
【００３０】
このように、図１４に示した支持構造は、太い矢印で示したｘ方向に反射ミラー１０４がズレ易い構造であり、また、一旦ｘ方向にずれた場合に正規の位置に戻り難い構造である。
【００３１】
次に、図１３（ｂ）のような、押さえ点として支持用板バネ１０７を用いる支持構造の場合について説明する。図１５は、図１３（ｂ）の支持構造において、衝撃が加わった場合の問題点を説明する断面模式図である。
【００３２】
支持用板バネ１０７の押さえ点（凸部）は、図１５に示す回動支点を中心にして回動する。したがって、この場合、支持用板バネ１０７の押さえ点に生じる付勢力の向きは、スキュー調整ピン１０９の軸方向（＋ｙ方向）だけではなく、−ｘ方向にも加わることになる。図１５の太い矢印は、支持用板バネ１０７によって押さえ点に生じる付勢力の向きを示している。
【００３３】
図１３（ｂ）に示す支持構造において衝撃が加わると、支持用板バネ１０７の押さえ点による付勢力が瞬間的に弱まり、その後、再度スキュー調整ピン１０９の先端に向けての付勢力が大きくかかる。そして、衝撃が加わって、一旦弱まった付勢力が再度大きくなる際に、−ｘ方向にも付勢力が加わるために、図１５に示すような紙面に向かって左回りの回転モーメントが生じる。そのため、反射ミラー１０４が長手方向を軸として回転してしまい、図１５のように、正規の位置よりもズレた位置となってしまう。
【００３４】
なお、図１５では、支持用板バネ１０７の押さえ点に生じる付勢力が−ｘ方向に加わる場合について説明したが、図１５において、押さえ点の回動支点が凸部が形成されている支持用板バネ１０７の主面よりも下側に位置する場合には、支持用板バネ１０７の押さえ点に生じる付勢力が＋ｘ方向に加わることになる。その場合には、図１５とは逆向き（紙面に向かって右回り）の回転モーメントが生じ、その場合にも反射ミラー１０４の位置がズレてしまう。
【００３５】
本発明は、上記従来の課題を考慮して、衝撃が加わっても、従来よりも位置ズレを生じ難くできる、スキュー調整機構、光走査ユニットおよび画像形成装置を提供することを目的とする。
【課題を解決するための手段】
【００３６】
上述した課題を解決するために、第１の本発明は、
光を反射する反射ミラーの反射面および前記反射面の反対側の背面のいずれかの面に接し、前記接する前記反射面または前記背面を弾力性をもって押圧する弾性支持部と、前記弾性支持部が接する前記反射面または前記背面とは反対側の前記背面または前記反射面に先端が接触する調整ピンとを備え、前記調整ピンの先端を前後させることにより前記反射面の位置を調整するスキュー調整機構であって、
前記反射ミラー以外の所定部分に係止される係止部と、前記反射ミラーの少なくとも１つの側面に接触してまたは近傍に配置され、前記反射ミラーの移動を規制する移動規制部とを有するミラー支持部材を備えたスキュー調整機構である。
【００３７】
また、第２の本発明は、
前記反射ミラーは、細長い形状を有し、
前記ミラー支持部材の前記移動規制部は、前記反射ミラーの長手方向の２つの側面のそれぞれに接触してまたは近傍に配置されている、第１の本発明のスキュー調整機構である。
【００３８】
また、第３の本発明は、
前記ミラー支持部材の前記移動規制部は、付勢バネであり、前記長手方向の２つの側面に接触している、第２の本発明のスキュー調整機構である。
【００３９】
また、第４の本発明は、
前記所定部分は、前記調整ピンであり、
前記ミラー支持部材は、前記ミラー支持部材に設けられている孔に前記調整ピンが嵌挿されることにより、前記調整ピンに係止されている、第１の本発明のスキュー調整機構である。
【００４０】
また、第５の本発明は、
前記ミラー支持部材は、前記弾性支持部が接する前記反射面または前記背面の一部を覆っている、第４の本発明のスキュー調整機構である。
【００４１】
また、第６の本発明は、
前記所定部分は、前記弾性支持部および前記調整ピンを保持するフレームの一部であり、
前記ミラー支持部材は、前記フレームの一部に固定されている、第１の本発明のスキュー調整機構である。
【００４２】
また、第７の本発明は、
光を反射する反射ミラーの反射面および前記反射面の反対側の背面のいずれかの面に１つの接点部分で接し、前記接する前記反射面または前記背面を弾力性をもって押圧する弾性支持部と、前記弾性支持部が接する前記反射面または前記背面とは反対側の前記背面または前記反射面に先端が接触する調整ピンとを備え、前記調整ピンの先端を前後させることにより前記反射面の位置を調整するスキュー調整機構であって、
前記弾性支持部が前記反射ミラーを弾力性をもって押圧する際に前記接点部分は弧を描き、衝撃が無い静止状態において、前記接点部分における前記弧に対する接線が、前記弾性支持部が接する前記反射面または前記背面に対して垂直となるように配置されている、スキュー調整機構である。
【００４３】
また、第８の本発明は、
前記反射ミラーは、細長い形状を有し、
前記弧は、前記反射ミラーの長手方向に対して垂直な面内に描かれる、第７の本発明のスキュー調整機構である。
【００４４】
また、第９の本発明は、
光源と、
前記光源からの光を反射する反射ミラーと、
前記反射ミラーの角度を調整してスキュー調整を行う、第１または第７の本発明のスキュー調整機構と、
像担持体の表面を走査するために、前記反射ミラーによって反射された光を偏向する多角形走査ミラーと、を備えた光走査ユニットである。
【００４５】
また、第１０の本発明は、
前記像担持体の表面に現像剤画像を形成する第９の本発明の光走査ユニットを備えた画像形成装置である。
【発明の効果】
【００４６】
本発明により、衝撃が加わっても、従来よりも位置ズレを生じ難くできる、スキュー調整機構、光走査ユニットおよび画像形成装置を提供できる。
【発明を実施するための最良の形態】
【００４７】
以下、本発明の実施の形態について図面を参照しながら説明する。
【００４８】
（実施の形態１）
図１は、本発明の実施の形態１における複写機の構成断面図である。
【００４９】
図１に示すように、本実施の形態１の複写機１は、底部に、画像形成される用紙を収納するための２つの給紙カセット２を備えている。また、本実施の形態１における複写機１は、上部に、露光ランプ、レンズ、ミラー等により原稿の画像を読み取る原稿読み取りユニット１７を備えている。なお、複写機１が本発明の画像形成装置の一例にあたる。
【００５０】
また、本実施の形態１における複写機１は、タンデム方式を用いたカラー複写機であり、ブラック画像形成ユニット３、イエロー画像形成ユニット４、シアン画像形成ユニット５、およびマゼンダ画像形成ユニット６を備えている。これら画像形成ユニット３、４、５、６によって形成された各画像を、用紙に転写する前に重ね合わせる中間転写ベルト７が配置されている。
【００５１】
この中間転写ベルト７上に形成されたトナー画像を、給紙カセット２から給紙された用紙に転写するための転写ユニット８が設けられている。さらに、用紙に転写されたトナー画像を定着するための定着ユニット９が設けられている。
【００５２】
上記定着ユニット９によって、トナー画像が定着された用紙が排出される排出トレー１６が設けられている。
【００５３】
次に、画像形成ユニットについて説明するが、４つの画像形成ユニット３、４、５、６の基本的構成は同じであるため、マゼンダ画像形成ユニット６を例に挙げて説明する。
【００５４】
図１に示すように、マゼンダ画像形成ユニット６は、感光体ドラム１０、帯電器１１、現像器１２、転写器１３、およびクリーニングユニット１４等から構成されている。
【００５５】
また、４つの画像形成ユニット３、４、５、６の、それぞれの帯電器１１によって帯電されたそれぞれの感光体ドラム１０の表面を光走査することによって静電潜像を形成する、レーザースキャナーユニット（以下、ＬＳＵと呼ぶ）１５が設けられている。このＬＳＵ１５は、４つの画像形成ユニット３、４、５、６の下方に配置されている。
【００５６】
図２は、ＬＳＵ１５の断面模式図である。また、図３は、ＬＳＵ１５の斜視図である。
【００５７】
図１および図２に示すように、ＬＳＵ１５は、画像形成ユニット３および４にレーザー光を偏向させて導くポリゴンミラーと、画像形成ユニット５および６にレーザー光を偏向させて導くポリゴンミラーの、２つのポリゴンミラー１９を有する構成である。図３は、ＬＳＵ１５の、１つのポリゴンミラー１９を含む構成部分の斜視図を示している。
【００５８】
図２および図３に示すように、ＬＳＵ１５の１つのポリゴンミラー１９を含む構成部分は、２つのレーザー光源と、感光体ドラムの表面を走査させるために、レーザー光を偏向させ、等角度走査させるためのポリゴンミラー１９と、等角度走査されたレーザー光を各画像形成ユニット３および４（または、画像形成ユニット５および６）の感光体ドラム上で等速走査させるための機能を有する走査レンズ２３を備えている。
【００５９】
また、図２に示されているように、ポリゴンミラー１９によって偏向されたレーザー光を各画像形成ユニット３、４、５、６の感光体ドラムに導くための複数の反射ミラー２０、２２と、走査レンズ２３を通過したレーザー光を感光体ドラム表面に結像するための複数の補正レンズユニット２１が設けられている。上記走査レンズ２３および複数の補正レンズユニット２１によってｆθレンズ群が構成されている。この補正レンズユニット２１に設けられている補正レンズは、等角度走査されたレーザー光を、感光体ドラム表面上で等速走査させるための補正機能も有するが、主としては副走査方向のボウ補正の機能を有している。
【００６０】
なお、ここでは、偏向されたレーザー光を最後に反射して各画像形成ユニット３、４、５、６の感光体ドラムに導く反射ミラーを反射ミラー２２とし、それ以外の反射ミラーを反射ミラー２０としている。
【００６１】
なお、各画像形成ユニット３、４、５、６の感光体ドラム１０が、本発明の像担持体の一例にあたる。また、ＬＳＵ１５が本発明の光走査ユニットの一例にあたり、ポリゴンミラー１９が本発明の多角形走査ミラーの一例にあたる。
【００６２】
次に、反射ミラー２２の、ＬＳＵ１５ユニットにおける支持構造について説明する。
【００６３】
図３に示すように、反射ミラー２２は、光走査方向に長い形状をしており、図１１および図１２で説明した支持構造と同様の支持構造により、その両端部分が支持される。
【００６４】
すなわち、反射ミラー２２の長手方向の一端側では、図１２（ａ）に示すように、２点の受け点と１点の押さえ点によって支持され、もう一端側では、図１２（ｂ）に示すように、１点の受け点と１点の押さえ点によって支持される。
【００６５】
図４（ａ）に、本実施の形態１の、受け側１点で支持する側、すなわち図１２（ｂ）に示す側の、反射ミラー２２の第１の支持構造の斜視図を示す。本実施の形態１は、この受け側１点で支持する側の支持構造を特徴としている。
【００６６】
ＬＳＵ１５のフレーム３０に、ピン固定部材３２が固定されている。ピン固定部材３２には、スキュー調整ピン３１の首部を支持するための孔と、スキュー調整ピン３１の先部分近傍の軸部分を嵌挿させて支持するための切り欠きが形成されており、これらの孔および切り欠きによって、スキュー調整ピン３１を支持している。
【００６７】
また、スキュー調整ピン３１の先端の対向する位置に、スキュー調整ピン３１の軸方向（ｙ方向）に弾力を有し先端部分が１点形状の弾性支持部３３が設けられている。
【００６８】
そして、反射ミラー２２の長手方向の一端部分において、弾性支持部３３の先端が反射面に当接し、スキュー調整ピン３１の先端が背面（反射面の反対側の面）に当接するように配置され、スキュー調整ピン３１の先端が１つの受け点、弾性支持部３３の先端が１つの押さえ点となって、弾性支持部３３の付勢力によって、これらの２点で反射ミラー２２の両面を挟み込んで、反射ミラー２２の一端側を支持している。
【００６９】
なお、スキュー調整ピン３１は、このように受け点として使用されるとともに、その先端を前後させることにより反射ミラー２２の一端側の反射面の位置を移動させてスキュー調整の機能も兼ねている。
【００７０】
図４（ａ）に示した本実施の形態１の第１の支持構造を、図１４に示した従来の支持構造と比較してわかるように、本実施の形態１のピン固定部材３２に、ミラー位置規制部３４を設けたことを本実施の形態１の支持構造の特徴としている。
【００７１】
ミラー位置規制部３４は、反射ミラー２２の反射面に沿った幅方向（ｘ方向）への移動を規制するように、反射ミラー２２の長手方向の側面３５に接する位置に、または、反射ミラー２２のｘ方向へのわずかな移動によって接するような近傍の位置に、設けられている。
【００７２】
また、ミラー位置規制部３４によって規制される反射ミラー２２の側面３５とは反対側の側面は、ピン固定部材３２のミラー位置規制縁３９の部分によって＋ｘ方向への移動が規制される。
【００７３】
ミラー位置規制部３４を設けたことにより、落下等により衝撃が加わった場合でも、反射ミラー２２のｘ方向への揺動が抑制されるので、反射ミラー２２のｘ方向へのズレを抑制することができる。
【００７４】
なお、第１の支持構造においては、ピン固定部材３２が、本発明のミラー支持部材の一例にあたり、ピン固定部材３２がＬＳＵフレーム３０に固定されている部分が、本発明の係止部の一例にあたる。また、ミラー位置規制部３４が、本発明のミラー位置規制部の一例にあたる。また、ピン固定部材３２が固定されているＬＳＵフレーム３０の部分が、本発明の所定部分の一例にあたる。
【００７５】
次に、図４（ｂ）に、本実施の形態１の、受け側１点で支持する側の、反射ミラー２２の第２の支持構造の斜視図を示す。図４（ａ）に示した第１の支持構造と同じ構成部分には、同じ符号を用いている。
【００７６】
図４（ａ）に示した第１の支持構造の構成に加えて、ピン固定部材３６にミラー位置規制部３７を設けている。
【００７７】
ミラー位置規制部３７は、ミラー位置規制部３４によって規制する反射ミラー２２の長手方向側面３５とは反対側の側面に接する位置に、または、反射ミラー２２の＋ｘ方向へのわずかな移動によって接するような近傍の位置に設けられており、反射ミラー２２の＋ｘ方向への移動を規制している。
【００７８】
ミラー位置規制部３４によって反射ミラー２２の−ｘ方向への移動が規制され、ミラー位置規制部３７によって反射ミラー２２の＋ｘ方向への移動が規制されるので、第１の支持構造よりも、さらに反射ミラー２２のｘ方向へのズレの発生を抑制できる。
【００７９】
なお、第２の支持構造においては、ミラー位置規制部３４および３７が、本発明のミラー位置規制部の一例にあたる。
【００８０】
次に、図５に、本実施の形態１の、受け側１点で支持する側の、反射ミラー２２の第３の支持構造の斜視図を示す。図４（ａ）に示した第１の支持構造と同じ構成部分には、同じ符号を用いている。
【００８１】
本実施の形態１の第３の支持構造においては、スキュー調整ピン３１を支持するピン固定部材１１１として、図１４で示した従来と同様の構造のピン固定部材を用いている。
【００８２】
そして、この第３の支持構造では、弾性支持部３３が設けられている側にミラー位置規制部３８を設けている。
【００８３】
ミラー位置規制部３８は、反射ミラー２２の−ｘ方向への移動を規制するように、反射ミラー２２の長手方向の側面３５に接する位置に、または、反射ミラー２２のｘ方向へのわずかな移動によって接するような近傍の位置に、設けられている。
【００８４】
また、ミラー位置規制部３８によって規制される反射ミラー２２の側面３５とは反対側の側面は、ピン固定部材１１１のミラー位置規制縁３９の部分によって規制される。
【００８５】
ミラー位置規制部３８を設けたことにより、落下等により衝撃が加わった場合でも、反射ミラー２２のｘ方向への揺動が抑制されるので、反射ミラー２２のｘ方向へのズレを抑制することができる。
【００８６】
また、ミラー位置規制部３８が規制する反射ミラー２２の側面３５とは反対側の側面に接して、またはその側面の近傍に、別のミラー位置規制部を設けるようにしてもよい。
【００８７】
ミラー位置規制部３８は、弾性支持部３３が設けられている側に設けられていればよく、例えば、弾性支持部３３が設けられている側のＬＳＵフレーム３０に形成されていてもよいし、弾性支持部３３と一体化して形成されていてもよい。
【００８８】
なお、第３の支持構造においては、ミラー位置規制部３８が、本発明のミラー支持部材の一例にあたり、また、本発明のミラー位置規制部の一例にあたる。また、ミラー位置規制部３８の、ＬＳＵフレーム３０等に取り付けられている部分が、本発明の係止部の一例にあたり、ミラー位置規制部３８が取り付けられるＬＳＵフレーム３０等の部分が、本発明の所定部分の一例にあたる。
【００８９】
なお、図４（ａ）、（ｂ）および図５に示した第１〜第３の支持構造において、スキュー調整ピン３１の先部分近傍の軸部分を支持するためのピン固定部材の部分に切り欠きを設けることとしたが、スキュー調整ピン３１の支持する軸部分に対してｘ−ｚ面に沿った方向への移動が生じないように支持できればよく、切り欠きの代わりに孔を設けてもよい。
【００９０】
次に、図６（ａ）に、本実施の形態１の、受け側１点で支持する側の、反射ミラー２２の第４の支持構造の斜視図を示す。図４（ａ）に示した第１の支持構造と同じ構成部分には、同じ符号を用いている。
【００９１】
本実施の形態１の第４の支持構造のピン固定部材４１は、第１の支持構造のピン固定部材３２に設けられているような、スキュー調整ピン３１の軸部分を支持するための切り欠き部分を有していない。その代わりに、ピン固定部材４１とは別部材である、ミラー支持部材４０を備えている。
【００９２】
図６（ｂ）にミラー支持部材４０の側面図を、図６（ｃ）にミラー支持部材４０の上面図を、それぞれ示している。
【００９３】
ミラー支持部材４０の上面には、図６（ｃ）に示すように、スキュー調整ピン３１の先部分近傍の軸部分を嵌挿させる切り欠き４２が設けられている。
【００９４】
また、ミラー支持部材４０の側面は、図６（ｂ）に示すように、コの字形状をしており、２つのミラー側面規制部４３を有している。２つのミラー側面規制部４３は、反射ミラー２２の長手方向の２つの側面３５のそれぞれに、接するように、または反射ミラー２２がｘ方向に移動しない程度の近傍の位置となるように形成されている。
【００９５】
そして、ミラー支持部材４０は、図６（ａ）に示すように、切り欠き４２にスキュー調整ピン３１の軸部分を嵌挿させ、２つのミラー側面規制部４３で反射ミラー２２の長手方向の２つの側面３５を挟み込むように取り付けられる。
【００９６】
切り欠き４２にスキュー調整ピン３１の軸部分が嵌挿されているので、ミラー支持部材４０のｘ−ｚ面に沿った方向への直線移動が抑制される。また、２つのミラー側面規制部４３が、反射ミラー２２の長手方向の２つの側面３５を挟み込むように配置されるので、ミラー支持部材４０の、スキュー調整ピン３１の軸を中心とした回転移動が抑制される。
【００９７】
スキュー調整ピン３１の軸部分が切り欠き４２に嵌挿することによってミラー支持部材４０が係止され、その係止されたミラー支持部材４０の２つのミラー側面規制部４３によって、反射ミラー２２のｘ方向への移動が抑制される。
【００９８】
このように、本実施の形態１の第４の支持構造では、ミラー支持部材４０を設けたことにより、落下等により衝撃が加わった場合でも、反射ミラー２２のｘ方向への揺動が抑制されるので、反射ミラー２２のｘ方向へのズレを抑制することができる。
【００９９】
なお、第４の支持構造においては、切り欠き４２が、本発明の係止部の一例にあたり、ミラー側面規制部４３が、本発明の移動規制部の一例にあたる。また、切り欠き４２に嵌挿するスキュー調整ピンの軸部分が、本発明の所定部分の一例にあたる。
【０１００】
図７に、本実施の形態１の第４の支持構造で用いる他の構成のミラー支持部材の構成を示している。図７（ａ）および（ｂ）には、他の構成のミラー支持部材の側面図を、図７（ｃ）には、他の構成のミラー支持部材の上面図を、それぞれ示している。
【０１０１】
図７（ａ）に示すミラー支持部材４４は、図６（ｂ）に示したミラー支持部材４０に加えて、反射面規制部４５が設けられており、その側面はＣの字の形状をしている。
【０１０２】
反射面規制部４５は、反射ミラー２２を支持する際に、弾性支持部３３が当接する側の面、すなわちここでは反射面の側に回り込むように形成されている。
【０１０３】
反射面規制部４５を設けたことにより、ミラー支持部材４０よりも、さらに反射ミラー２２の揺動を抑制できる。
【０１０４】
なお、反射面規制部４５が、本発明の、反射面または背面の一部を覆っている部分の一例にあたる。
【０１０５】
次に、図７（ｂ）に示すミラー支持部材４６は、そのミラー側面規制部４７が弾力性を有する板バネ形状となっている。
【０１０６】
ミラー支持部材４６は、ミラー側面規制部４７の弾力性により、反射ミラー２２の長手方向の２つの側面３５を両側から付勢して挟み込む。
【０１０７】
反射ミラー２２の２つの側面３５を両側から付勢して挟み込むことにより、ミラー支持部材４０よりも、さらに反射ミラー２２のｘ方向の揺動を抑制できる。
【０１０８】
次に、図７（ｃ）に示すミラー支持部材４８は、ミラー支持部材４０においてスキュー調整ピン３１の軸部分を嵌挿させるために設けられた切り欠き４２の代わりに、ピン係止孔４９を設けている。
【０１０９】
ピン係止孔４９にスキュー調整ピン３１の軸部分が嵌挿されるので、ミラー支持部材４０のｘ−ｚ面に沿った方向への直線移動が抑制され、ミラー支持部材４０を用いる場合と同様の効果が得られる。
【０１１０】
図７（ｃ）に示したピン係止孔４９を設ける構成は、図７（ａ）のミラー支持部材４４や図７（ｂ）のミラー支持部材４６の構成にも適用できる。
【０１１１】
図８に、本実施の形態１の第４の支持構造で用いるさらに他の構成のミラー支持部材の構成を示す。図８（ａ）には、さらに他の構成のミラー支持部材５１の斜視図を、図８（ｂ）にその上面図を示す。
【０１１２】
図８（ａ）に示すように、ミラー支持部材５１は、その上面に、スキュー調整ピン３１の軸部分を嵌挿させるピン係止孔４９を有している。そして、反射ミラー２２の長手方向の一端の端面側に配置されるミラー端側部５３の面を有している。そして、ミラー端側部５３から、反射ミラー２２の長手方向の２つの側面３５を挟むように２つのミラー側面規制部５２が形成されている。
【０１１３】
２つのミラー側面規制部５２は、弾力性を有する板バネ形状であり、その弾力性によって、反射ミラー２２の長手方向の２つの側面３５を両側から付勢して挟み込む。
【０１１４】
スキュー調整ピン３１の軸部分をピン係止孔４９に嵌挿することによってミラー支持部材５１がスキュー調整ピン３１に係止され、その係止されたミラー支持部材５１の２つのミラー側面規制部５２によって、反射ミラー２２のｘ方向への移動が抑制される。
【０１１５】
このように、ミラー支持部材５１を用いることにより、落下等により衝撃が加わった場合でも、反射ミラー２２のｘ方向への揺動が抑制されるので、反射ミラー２２のｘ方向へのズレを抑制することができる。
【０１１６】
なお、本実施の形態１の反射ミラーの第１〜第４の支持構造が、それぞれ本発明のスキュー調整機構の一例にあたる。
【０１１７】
（実施の形態２）
図９に、本発明の実施の形態２の、受け側１点で支持する側の反射ミラーの支持構造の断面図を示す。なお、本実施の形態２の反射ミラーの支持構造が、本発明のスキュー調整機構の一例にあたる。
【０１１８】
図１５を用いて説明したように、従来の支持構造では、落下等により衝撃が加わった場合に、回転モーメントが生じ、反射ミラー１０４がその長手方向を軸として回転してしまい、位置ズレしてしまう。
【０１１９】
本実施の形態２の支持用板バネ６０は、その構造および配置により、衝撃が加わった際の回転モーメントの発生を抑制するものであり、図９に示す支持構造において、支持用板バネ６０以外の構成部分は、図１５に示した従来の支持構造と同じ構成である。
【０１２０】
なお、支持用板バネ６０が、本発明の弾性支持部の一例にあたる。
【０１２１】
本実施の形態２の支持構造は、スキュー調整ピン６１が、ＬＳＵフレームに固定されたピン固定部材６２に支持されている。そして、スキュー調整ピン６１の先端部分が受け側の凸部となっている。
【０１２２】
支持用板バネ６０の弾力性を有する面に凸部６３が形成されており、この凸部６３が押さえ側となり、反射ミラー２２の両面を挟んでスキュー調整ピン６１の先端に対向する位置となるように、支持用板バネ６０がＬＳＵフレームに固定されている。
【０１２３】
支持用板バネ６０の凸部６３が１つの押さえ点として反射ミラー２２の反射面に当接し、スキュー調整ピン６１の先端が１つの受け点として反射ミラー２２の背面に当接して、これらの２点によって反射ミラー２２の一端側が支持される。
【０１２４】
図９において、反射ミラー２２は、ズレの生じていない正規の位置を示している。そして、反射ミラー２２が正規の位置にあるときの、スキュー調整ピン６１の先端との接点を通る反射面の垂線を一点鎖線で示している。
【０１２５】
押さえ点としての凸部６３から反射ミラー２２の反射面に対して、この一点鎖線と交差する位置から、この一点鎖線の向きの付勢力が加わる場合には、ｘ方向成分の力は含まれていないので、図１５で説明したような回転モーメントは生じない。この回転モーメントを生じなくすれば、衝撃が加わった際に生じる反射ミラー２２の回転位置ズレを抑制できる。
【０１２６】
まず、この一点鎖線に交差する位置から反射面に付勢力を加えるために、反射ミラー２２が正規の位置にあるときの凸部６３との接点の位置が、この一点鎖線上の位置となるように、支持用板バネ６０を配置すればよい。
【０１２７】
次に、支持用板バネ６０の一端側がＬＳＵフレームに固定されているときの、凸部６３の頂点が移動する位置６４を、図９に破線で示している。凸部６３の頂点の移動位置６４は、図９に示す回動支点を中心とした弧を描く。支持用板バネ６０の凸部６３と接する場合、その接点におけるこの破線の向きの付勢力、すなわちその接点における移動位置６４で示された弧の接線方向の付勢力が生じることになる。
【０１２８】
なお、凸部６３の頂点の移動位置６４で示される弧が、本発明の、接点部分が描く弧の一例にあたる。
【０１２９】
図９に示した一点鎖線の向きの付勢力を反射面に加えるためには、反射ミラー２２が正規の位置にあるときの凸部６３との接点における移動位置６４で示された弧の接線が、図９に示した一点鎖線に一致するようにすればよい。この場合、凸部６３からの付勢力は、一点鎖線の向き、すなわち反射面に対して垂直な向きに加わるので、ｘ方向成分は含まれず、反射ミラー２２の長手方向を軸とした回転モーメントは生じない。
【０１３０】
本実施の形態２の支持用板バネ６０は、反射ミラー２２の正規の位置において、凸部６３と反射面との接点が、スキュー調整ピン６１の先端と接する接点を通る反射面の垂線上に位置し、凸部６３と反射面との接点における付勢力が反射面に対して垂直に加わるような、構造および配置がされている。
【０１３１】
このような構造および配置の支持用板バネ６０を用いることにより、落下等による衝撃が加わり、瞬間的に凸部６３からの付勢力が弱まり、再度付勢力が強くなるような場合でも、付勢力のｘ方向成分が小さく回転モーメントの発生を抑制できるので、反射ミラー２２の回転による位置ズレを抑制できる。
【０１３２】
なお、図９に示した凸部６３の頂点の移動位置６４で示される弧の半径をより大きくすることにより、より強い衝撃に対しても回転による位置ズレを抑制できる。
【０１３３】
なお、凸部６３の頂点の移動位置６４で描かれる弧が、図９に示すように、反射ミラー２２の長手方向に垂直な面内に描かれるような位置に支持用板バネ６０を取り付けるのが望ましい。図９に示すように支持用板バネ６０を取り付けた場合には、支持用板バネ６０
の取り付け位置がｚ方向にズレても、そのｚ方向へのズレに対する凸部６３のｘ方向へのズレは小さく、この影響によって生じる回転モーメントは小さいものであり、この影響による反射ミラーの回転による位置ズレは生じ難い。
【０１３４】
それに対し、例えば、凸部６３の頂点の移動位置６４で描かれる弧が反射ミラー２２の長手方向に沿った面内に描かれるような位置に支持用板バネ６０を取り付けた場合には、
上記した図９の場合の支持用板バネ６０の取り付け位置におけるｚ方向のズレは、ｘ方向のズレとなる。支持用板バネ６０の取り付け位置がｘ方向にズレると、そのズレに対する凸部６３のｘ方向へのズレは大きく、その影響による回転モーメントの発生によって、反射ミラーの回転による位置ズレが生じ易くなってしまう。
【０１３５】
なお、各実施の形態では、押さえ点が反射ミラー２２の反射面に接し、受け点が背面（反射面と反対側の面）に接することとして説明したが、これらは逆であってもよい。すなわち、押さえ点が反射ミラー２２の背面に接し、受け点が反射面に接して反射ミラー２２を支持する構成であってもよい。
【０１３６】
また、各実施の形態では、各感光体ドラム１０にレーザー光を導く際に、最後に反射する反射ミラー２２に対する支持構造を例として説明したが、本発明の支持構造は、図２に示す他の反射ミラー２０について適用してもよい。また、補正レンズユニット２１や走査レンズ２３の支持構造としても適用できる。
【０１３７】
また、実施の形態１と実施の形態２の構成を組み合わせた支持構造としてもよい。その場合には、反射ミラーのｘ方向のズレとともに、反射ミラーの長手方向を軸とした回転のズレも抑制できる。
【０１３８】
以上に説明したように、本発明のスキュー調整機構を用いることにより、落下等の衝撃が加わった場合の反射ミラーの位置ズレを防止できる。
【産業上の利用可能性】
【０１３９】
本発明に係るスキュー調整機構、光走査ユニットおよび画像形成装置は、衝撃が加わっても、従来よりも位置ズレを生じ難くできる効果を有し、プリンタ、複写機、およびファクシミリなどの画像形成装置に用いられる光走査ユニット、光走査ユニットに用いるスキュー調整機構等として有用である。
【図面の簡単な説明】
【０１４０】
【図１】本発明の実施の形態１の複写機正面の構成断面図
【図２】本発明の実施の形態１のＬＳＵの断面模式図
【図３】本発明の実施の形態１のＬＳＵの斜視図
【図４】（ａ）本発明の実施の形態１の、受け側１点で支持する側の反射ミラーの第１の支持構造を示す斜視図、（ｂ）本発明の実施の形態１の、受け側１点で支持する側の反射ミラーの第２の支持構造を示す斜視図
【図５】本発明の実施の形態１の、受け側１点で支持する側の反射ミラーの第３の支持構造を示す斜視図
【図６】（ａ）本発明の実施の形態１の、受け側１点で支持する側の反射ミラーの第４の支持構造を示す斜視図、（ｂ）本発明の実施の形態１の第４の支持構造に用いるミラー支持部材の側面図、（ｃ）本発明の実施の形態１の第４の支持構造に用いるミラー支持部材の上面図
【図７】（ａ）本発明の実施の形態１の第４の支持構造に用いる他の構成のミラー支持部材の側面図、（ｂ）本発明の実施の形態１の第４の支持構造に用いる他の構成のミラー支持部材の側面図、（ｃ）本発明の実施の形態１の第４の支持構造に用いる他の構成のミラー支持部材の上面図
【図８】（ａ）本発明の実施の形態１の第４の支持構造に用いる他の構成のミラー支持部材の斜視図、（ｂ）本発明の実施の形態１の第４の支持構造に用いる他の構成のミラー支持部材の上面図
【図９】本発明の実施の形態２の、受け側１点で支持する側の反射ミラーの支持構造を示す断面図
【図１０】タンデム方式の画像形成装置とＬＳＵの断面模式図
【図１１】反射ミラーの支持部分を説明するためのＬＳＵの斜視図
【図１２】（ａ）ＬＳＵにおける、反射ミラーの一端側の支持部分を示す図、（ｂ）ＬＳＵにおける、反射ミラーの他の一端側の支持部分を示す図、（ｃ）反射ミラーを支持する支持用板バネの斜視図
【図１３】（ａ）従来のＬＳＵにおける、受け側２点で支持する側の反射ミラーの支持構造を示す断面図、（ｂ）従来のＬＳＵにおける、受け側１点で支持する側の反射ミラーの支持構造を示す断面図
【図１４】従来のＬＳＵにおける、受け側１点で支持する側の反射ミラーの他の支持構造を示す斜視図
【図１５】従来のＬＳＵの、受け側１点で支持する側の反射ミラーの支持構造における問題点を説明する図
【符号の説明】
【０１４１】
１  複写機
２  給紙カセット
３  ブラック画像形成ユニット
４  イエロー画像形成ユニット
５  シアン画像形成ユニット
６  マゼンダ画像形成ユニット
７  中間転写ベルト
８  転写ユニット
９  定着ユニット
１０  感光体ドラム
１１  帯電器
１２  現像器
１３  転写器
１４  クリーニングユニット
１５  ＬＳＵ
１６  排出トレー
１７  原稿読み取りユニット
１９  ポリゴンミラー
２０、２２  反射ミラー
２１  補正レンズユニット
２３  走査レンズ
３０  ＬＳＵフレーム
３１、６１  スキュー調整ピン
３２、３６、４１、６２、１１１  ピン固定部材
３３  弾性支持部
３４、３７、３８  ミラー位置規制部
３５  反射ミラーの長手方向側面
３９  ミラー位置規制縁
４０、４４、４６、４８、５１  ミラー支持部材
４２  切り欠き
４３、４７、５２  ミラー側面規制部
４５  反射面規制部
４９  ピン係止孔
５３  ミラー端側部
６０  支持用板バネ
６３  凸部
６４  凸部の頂点の移動位置
【図１】
2010066609.tif 000003
【図２】
2010066609.tif 000004
【図３】
2010066609.tif 000005
【図４】
2010066609.tif 000006
【図５】
2010066609.tif 000007
【図６】
2010066609.tif 000008
【図７】
2010066609.tif 000009
【図８】
2010066609.tif 000010
【図９】
2010066609.tif 000011
【図１０】
2010066609.tif 000012
【図１１】
2010066609.tif 000013
【図１２】
2010066609.tif 000014
【図１３】
2010066609.tif 000015
【図１４】
2010066609.tif 000016
【図１５】
2010066609.tif 000017